(57)【特許請求の範囲】
【請求項１】
ＩＴＵ−Ｔ勧告Ｖ．８、Ｖ．３４通信が可能である一方、相手先装置との交信中に通信エラーが発生すると当該交信を終了して同一宛先に再発信して交信をやりなおすファクシミリ装置において、
相手先装置と交信を行った際に通信エラーが発生した場合に、当該通信エラーの内容に応じて再発信時の交信条件を設定する再交信条件設定手段と、
前記相手先装置に再発信して前記再交信条件設定手段により設定された交信条件で再交信を行う再交信手段とを備え、
前記再交信条件設定手段は、相手先装置と交信を行った際に発生した通信エラーが、Ｖ．３４通信のフェーズ３で発生した場合に、前記再発信時の交信条件を、トレーニング時のポイント数を４ポイントまたは１６ポイントの２種類のうちの前回交信時の値と異なる値に設定した条件とするものであることを特徴とするファクシミリ装置。
【発明の詳細な説明】
【０００１】
【発明の属する技術分野】
本発明はファクシミリ装置に関し、特に、ＩＴＵ−Ｔ勧告Ｖ．８、Ｖ．３４通信が可能である一方、相手先装置との交信中に通信エラーが発生すると当該交信を終了して同一宛先に再発信して交信をやりなおすファクシミリ装置に関する。
【０００２】
【従来の技術】
ＩＴＵ−Ｔ勧告Ｖ．３４通信が可能なファクシミリ装置では、従来のＶ．１７、Ｖ．２９、Ｖ．２７ｔｅｒの通信にくらべて高速通信が可能であるが、広帯域を必要とするため、回線の状況に大きな影響を受けやすく、回線状況が時系列的に悪化したような場合には、画像の伝送中に通信エラーになる可能性が高い。
【０００３】
【発明が解決しようとする課題】
従来の制御手順では、交信時に通信エラーが発生した場合再発信処理を行うが、Ｖ．３４通信で前回の交信と同一の条件で再発信を行った場合、前回の交信と同じ条件で交信を行う可能性が高く、そのため再びエラーになる可能性が高い。具体的には、最初の交信で回線状況が悪いために再送を繰り返した後に通信エラーになった場合、再発信による交信も再送を繰り返す可能性が高く、Ｖ．３４の高速通信のメリットがなくなってしまうという不具合を生じる。
【０００４】
また、回線状況の悪い回線でＶ．３４通信を行った場合、回線状況を検出する段階で回線状況を正確に把握できず、これが原因で通信エラーになることもある。この場合、再発信を行っても正確な回線状況が得られないため、再び通信エラーになる可能性が非常に高い。具体的には、品質の悪い回線を、良好な回線と誤って検出した場合、必要以上に高いシンボルレートおよびデータレートが選択されるため、それにより再送を繰り返し通信エラーになってしまうという問題がある。
【０００５】
また、特定の相手先のファクシミリとの交信において、回線状況もしくは相手先のファクシミリとの互換性によって、双方のファクシミリがＶ．８、Ｖ．３４通信が可能であっても、交信中にエラーが発生することもある。この場合、Ｖ．３４通信で再発信を繰り返しても確実に通信エラーになってしまうという問題がある。
【０００６】
本発明は係る事情に鑑みてなされたものであり、ＩＴＵ−Ｔ勧告Ｖ．８、Ｖ．３４伝送制御手順に従う交信中に通信エラーが発生して交信が終了して再発信する場合に、確実に交信を行うことができるファクシミリ装置を提供することを目的とする。
【０００７】
【課題を解決するための手段】
上記目的を達成するため、請求項１に記載のファクシミリ装置は、ＩＴＵ−Ｔ勧告Ｖ．８、Ｖ．３４通信が可能である一方、相手先装置との交信中に通信エラーが発生すると当該交信を終了して同一宛先に再発信して交信をやりなおすファクシミリ装置において、相手先装置と交信を行った際に通信エラーが発生した場合に、当該通信エラーの内容に応じて再発信時の交信条件を設定する再交信条件設定手段と、前記相手先装置に再発信して前記再交信条件設定手段により設定された交信条件で再交信を行う再交信手段とを備え、前記再交信条件設定手段は、相手先装置と交信を行った際に発生した通信エラーが、Ｖ．３４通信のフェーズ３で発生した場合に、前記再発信時の交信条件を、トレーニング時のポイント数を４ポイントまたは１６ポイントの２種類のうちの前回交信時の値と異なる値に設定した条件とするものであることを特徴とする。
【００１２】
【発明の実施の形態】
以下、添付図面を参照しながら、本発明の実施の形態を詳細に説明する。
【００１３】
先ず、図１は、本発明の実施の形態に係るファクシミリ装置１のブロック構成を示している。
【００１４】
同図において、ファクシミリ装置１は、システム制御部２、ＲＯＭ３、ＲＡＭ４、スキャナ５、プロッタ６、符号化復号化部７、操作表示部８、通信制御部９、モデム１０、網制御部１１、及び、システムバス１２により構成されている。
【００１５】
システム制御部２は、ＲＯＭ３に書き込まれた制御プログラムに従って、ＲＡＭ４を作業領域として使用しながら、装置各部を制御するものである。
【００１６】
ＲＯＭ３は、前述したように、システム制御部２が上記装置各部を制御するための制御プログラムが記憶されているリードオンリメモリである。
【００１７】
ＲＡＭ４は、前述したようにシステム制御部２の作業領域として使用されるランダムアクセスメモリである。なお、ＲＡＭ４は、図示しないバックアップ用回路によりバックアップされており、装置電源遮断時にも記憶内容は保持される。
【００１８】
スキャナ５は、３．８５本／ｍｍ、７．７本／ｍｍ、１５．４本／ｍｍ等の所定の読み取り線密度で原稿画像を読み取って画情報を得るためのものである。プロッタ６は、受信した画情報を、その線密度に応じて記録出力したり、スキャナ５で読み取った画情報を、その線密度に応じて記録出力（コピー動作）するためのものである。
【００１９】
符号化復号化部７は、送信画像データを、Ｇ３ファクシミリに適合する、ＭＨ符号化方式、ＭＲ符号化方式、ＭＭＲ符号化方式等の所定の符号化方式で符号化圧縮する一方、受信画像データをＭＨ符号化方式、ＭＲ符号化方式、ＭＭＲ符号化方式等に対応する所定の復号化方式で復号伸長するものである。
【００２０】
操作表示部８は、宛先電話番号を指定するためのテンキー、送信スタートキー、ワンタッチダイヤルキー、及び、その他各種キーが配設される一方、液晶表示装置等の表示器を備え、ユーザに知らせるべき装置の動作状態や、各種メッセージを表示するものである。
【００２１】
通信制御部９は、モデム１０や網制御部１１を制御してファクシミリ通信を行うものである。モデム１０は、ＩＴＵ−Ｔ勧告Ｖ８、Ｖ．３４に準拠したモデムで、網制御部１１を介して回線に送信するデータを変調する一方、網制御部１１を介して回線から受信した信号を復調するものである。また、モデム１０は、指定されて宛先番号番号に対応したＤＴＭＦ信号の送出も行う。網制御部１１は、回線に接続されて、回線の直流ループの閉結・解放や、回線の極性反転の検出、回線解放の検出、発信音の検出、ビジートーン（話し中）等のトーン信号の検出、呼出信号の検出等の回線との接続制御や、ダイヤルパルスの生成を行うものである。システムバス１２は、上記各部がデータをやり取りするための信号ラインである。
【００２２】
図２に、Ｖ．８手順に引き続いて行われるＶ．３４に準拠したファクシミリ通信の基本的なシーケンスを示す。
【００２３】
同図において、フェーズ１では、送信側及び受信側が互いにＶ．３４動作を行うことを示し、フェーズ２では、送信側が送出するプロービング信号Ｌ１／Ｌ２を受信側が測定した結果から、受信側が、送信側から通知された送信側装置が使用可能なシンボルレートの組合せと、自装置が使用可能なシンボルレートの組合せとに共通で最高のシンボルレートを上限として、シンボルレートを決定し、ＩＮＦＯｈ信号により、送信側に通知し送信側にもその決定したシンボルレートを設定させる。フェーズ３では、等価器とエコーキャンセラのトレーニングが行われる。フェーズ４では、最終トレーニングか行われ、ビットレートが決定される。フェーズ５では、ファクシミリ通信に関する能力設定が行われる。フェーズ６では、ファクシミリメッセージが送信される。
【００２４】
次に、ファクシミリ装置１おける送信処理手順について、図３及び図４を参照して説明する。
【００２５】
先ず、図３においてシステム制御部２は、スキャナ５に原稿がセットされるかを監視して（判断１０１のＮｏループ）、スキャナ５に原稿がセットされると（判断１０１のＹｅｓ）、操作表示部８を介した送信宛先の指定があるかを監視し（判断１０２のＮｏループ）、送信宛先の指定があると（判断１０２のＹｅｓ）、送信開始を指示する操作表示部８の図示しないスタートキーが押下されるかを監視し（判断１０３のＮｏループ）、スタートキーが押下されると（判断１０３のＹｅｓ）、判断１０１でセットされた原稿をスキャナ５により読み取り得られた画像データをＲＡＭにいったん記憶する（処理１０４）。
【００２６】
そして、判断１０２で指定された宛先に発呼し（処理１０５）、宛先の相手先装置との間に回線が接続されると（処理１０６）、処理１０４でＲＡＭ４に記憶した画像データを、Ｖ．８、Ｖ．３４プロトコルにより相手先に送信するファクシミリ送信処理を行いつつ（処理１０７）、送信処理中に通信エラーが発生したか否かを監視し、また、送信が完了したかを監視する（判断１０８のＮｏ、判断１０９のＮｏループ）。なお、フローチャートの記述を省略しているが、処理１０５により発呼した際に、相手先装置が通知中であるような場合には、実際には、エラー内容が「通信中」という通信エラーが発生して、前の発信時と同じ伝送条件で再発信動作が行われる。
【００２７】
通信エラーが発生することなく送信が完了した場合は（判断１０９のＹｅｓ）、回線を切断して（処理１１０）、送信処理を終了する。送信の完了前に通信エラーが発生した場合は（判断１０８のＹｅｓ）、回線を切断して（処理１１１）、図４の処理１１２に移行し、再発信のために一定時間待つ（処理１１２）。そして、判断１０８で発生した通信エラーの内容に基づいた再発呼時伝送条件設定処理を行い（処理１１３）、判断１０２で指定された宛先に再発呼し（処理１１４）、宛先の相手先装置との間に回線が再接続されると（処理１１５）、処理１０４でＲＡＭ４に記憶した画像データを、処理１１３により設定された伝送条件で相手先に再送信するファクシミリ送信処理を行いつつ（処理１１６）、送信処理中に通信エラーが発生したか否かを監視し、また、送信が完了したかを監視する（判断１１７のＮｏ、判断１１９のＮｏループ）。
【００２８】
通信エラーが発生することなく送信が完了した場合は（判断１１９のＹｅｓ）、回線を切断して（処理１２０）、送信処理を終了する。送信の完了前に通信エラーが発生した場合は（判断１１８のＹｅｓ）、回線を切断して（処理１１８）、処理１１２に戻る。
【００２９】
処理１１３における再発呼時伝送条件設定処理の具体的な手順を図５に示す。
【００３０】
同図において、システム制御部２は、前回の発信時に発生した、すなわち、判断１０８または判断１１７で発生した通信エラーが、Ｖ．８手順で発生したか、Ｖ．３４のフェーズ１で発生したか、Ｖ．３４のフェーズ２で発生したか、Ｖ．３４のフェーズ３で発生したか、または、Ｖ．３４のフェーズ６で発生したか、を判断する（判断２０１、判断２０２、判断２０３、判断２０４、判断２０５）。
【００３１】
通信エラーが、Ｖ．８手順で発生したか、Ｖ．３４のフェーズ１で発生したか、または、Ｖ．３４のフェーズ２で発生した場合は（判断２０１のＹｅｓ、判断２０２のＹｅｓ、または、判断２０３のＹｅｓ）、Ｖ．８、Ｖ．３４通信を行わず、既存のＶ．１７以下の伝送モードで発信するように伝送条件を設定する（処理２０７）。これにより、再発信時にＶ．８手順やＶ．３４のフェーズ１、２で通信エラーが発生することがなくなり、正常に送信を行える可能性が高まる。
【００３２】
通信エラーが、Ｖ．３４のフェーズ３で発生した場合は（判断２０４のＹｅｓ再発信の伝送条件のうち、トレーニング条件を変更する（処理２０８）。具体的には、トレーニングのポイント数を４ポイントでトレーニングを行う設定とする。実際には、送信側は、Ｖ．８通信中のＣＭ信号の送出で、伝送可能な伝送モードを受信側に通知するが、この時のＣＭ信号内のトレーニング情報を、４ポイントのみサポートする設定として送信する。また、トレーニングは４ポイントと１６ポイントの２種類があるため、前回送信時のポイント数をマスクして、前回と異なるポイント数を設定し再発信を行うようにしてもよい。これにより、フェーズ３におけるトレーニングが失敗して通信エラーになる可能性が減少し、正常に送信を行える可能性が高まる。
【００３３】
通信エラーが、Ｖ．３４のフェーズ６で発生した場合は（判断２０５のＹｅｓ再発信の伝送条件のうち、データレート・シンボルレートをマスクする（処理２０９）。具体的には、Ｖ．３４におけるデータレートの上限値は、図６に示すように、２１．６ｂｐｓないし３３．６ｂｐｓまで設定可能であるが、前回の交信時に選択された値から１段階下の値をデータレートの上限値として設定する。例えば、前回の送信時のデータレートが２８．８ｂｐｓであった場合、２８．８ｂｐｓ以上のデータレート、つまり３３．６ｂｐｓ、３１．２ｂｐｓ、及び、２８．８ｂｐｓのレートをマスクし、交信可能なデータレートの最大値を２６．４ｂｐｓsと設定して送信する。実際には、送信側はＶ．８通信中のＣＭ信号の送出で、伝送可能な伝送モードを受信機に通知するが、この時のＣＭ信号内のデータレートの情報を、前回の交信時で選択された値から１段階下の値を上限値として設定して送信する。また、シンボルレートは、図７に示すように、２４００ないし３４２９まで設定可能であるが、前回の交信時に選択された値から１段階下の値をシンボルレートの上限値として設定する。例えば、前回の送信時のシンボルレートが３２００であった場合，３２００ 以上のシンボルレート、つまり３４２９及び３２００のシンボルレートをマスクし、交信可能なシンボルレートの最大値を３０００と設定した後に再発信を行う。実際には、送信機はＶ．８通信中のＣＭ信号の送出で、伝送可能な伝送モードを受信機に通知するが、この時のＣＭ信号内のシンボルレートの情報を、前回の交信時で選択された値から１段階下の値を上限値として設定して送信する。これにより、フェーズ６におけるファクシミリメッセージの伝送中に通信エラーになる可能性が減少し、正常に送信を行える可能性が高まる。
【００３４】
通信エラーがＶ．８手順、Ｖ．３４のフェーズ１、２、３または６以外で発生した場合は（判断２０５のＮｏ）、伝送モードを通常の条件に設定する（処理２０６）。
【００３５】
このように、本実施の形態によれば、前回の交信時に発生した通信エラーが、再交信時に発生しにくくなるように、再交信時の伝送条件を最適に設定するようにしたため、確実な送信を行えるようになる。
【００３６】
【発明の効果】
請求項１に係る発明によれば、通信エラーの発生状況に応じて最適な伝送モードを選択して再発信を行うことが可能となるため、再発信時の交信がエラーになる可能性を低くすることが可能となる効果が得られる。また、再発信時には前回の交信より確実に送信が行われるモードを選択して送信するため、通信エラーで再送信を繰り返すことがなくなり、また、ＥＣＭ（Error Correcting Mode）通信による再送も減り、結果として通信時間を節約することが可能となる効果が得られる。また、通信エラーがＶ．３４通信のフェーズ３で発生した場合は、回線状況もしくは相手先のファクシミリとの互換性によって、トレーニングの段階でエラーが発生していると考えられることに鑑みて、トレーニング時のポイント数を１６ポイントのトレーニングにくらべてノイズに強い４ポイントに固定してトレーニングを行うように設定して再発信を行うことで、トレーニングに失敗して通信エラーになる可能性が減少し、再発信時の通信の確実性を高めることが可能となる効果が得られる。
【図面の簡単な説明】
【図１】本発明の実施の形態に係るファクシミリ装置のブロック構成を示す図である。
【図２】Ｖ．３４に準拠したファクシミリ通信の基本的なシーケンスを示す図である。
【図３】本発明の実施の形態に係るファクシミリ装置における送信処理手順について示すフローチャートである。
【図４】図３と共に本発明の実施の形態に係るファクシミリ装置における送信処理手順について示すフローチャートである。
【図５】再発呼時伝送条件設定処理の具体的な手順について示すフローチャートである。
【図６】Ｖ．３４において設定可能なデータレートについて示す図である。
【図７】Ｖ．３４において設定可能なシンボルレートについて示す図である。
【符号の説明】
１  ファクシミリ装置
２  システム制御部
３  ＲＯＭ
４  ＲＡＭ
５  スキャナ
６  プロッタ
７  符号化復号化部
８  操作表示部
９  通信制御部
１０  モデム
１１  網制御部
１２  システムバス
【図１】
0003675661.tif 000002
【図２】
0003675661.tif 000003
【図３】
0003675661.tif 000004
【図４】
0003675661.tif 000005
【図５】
0003675661.tif 000006
【図６】
0003675661.tif 000007
【図７】
0003675661.tif 000008